(57)【特許請求の範囲】
【請求項１】
記憶手段（１９）に登録された複数のパラメータに基づいて測定処理を実施する測定装置における、操作パネル（６）上で操作入力された前記複数のパラメータを前記記憶手段に登録する測定装置のパラメータ設定支援装置において、
前記各パラメータ毎に、該当パラメータの値を入力するために使用する前記操作パネル上の該当する操作キーを示す記号と、この指示された操作キーを用いて操作入力された該当パラメータの値（２８）を表示する入力枠（２６）と、前記該当する操作キーを示す記号と前記入力枠とを囲むように枠を構成するウインドウ（２４）とを記憶するウインドウメモリ（１６）と、
このウインドウメモリに記憶された各パラメータに対応した各ウインドウで指示された該当する操作キーを用いた該当パラメータの入力操作を示す複数の入力モードを記憶する入力モードメモリ（１７）と、
前記各パラメータを特定するパラメータの項目（２５）毎に、該当パラメータの項目に対して許可する入力モードを記憶する許可入力モードテーブル（１８）と、
前記記憶手段に登録された複数のパラメータの項目（２５）及びパラメータの値（２８）を表示器（３）に表示するパラメータ表示手段（２０）と、
このパラメータ表示手段で複数のパラメータの項目及びパラメータの値が表示された状態で、前記パラメータの項目を指定すると、このパラメータの近接位置に、該当パラメータの値を入力するために使用する前記操作パネル上の操作キーを示す記号と、この操作キーを用いて操作入力された該当パラメータの値を表示する入力枠とを前記ウインドウメモリから読出して表示するウインドウ表示手段（２１）と、
このウインドウ表示手段で表示されたウインドウの入力枠（２６）内に、前記表示された操作キーの記号による前記許可入力モードテーブルで許可された入力モードを用いて操作入力された該当パラメータの値を前記記憶手段に登録するパラメータ登録手段（２３）と
を備えた測定装置のパラメータ設定支援装置。
【請求項２】
前記入力モードメモリ（１７）に記憶された複数の入力モードは、
テンキーを用いて値を前記入力枠に直接入力する数値直接入力モード（１７ａ）と、
ノブ又はステップキーで前記入力枠内に表示された値を移動させる数値間接入力モード（１７ｂ）と、
ノブ又はステップキーで予め表示された文字リストから必要な文字を選択して前記入力枠内へ複写する文字列入力モード（１７ｃ）と、
ノブ又はステップキーで予め表示された候補値から一つの値を選択して前記入力枠内へ複写する選択入力モード（１７ｄ）とを含む
ことを特徴とする請求項１記載の測定装置のパラメータ設定支援装置。
【発明の詳細な説明】
【０００１】
【発明の属する技術分野】
本発明は、記憶部に登録された複数のパラメータに基づいて指定された測定処理を実施する測定装置に係わり、特にこのパラメータを設定する測定装置のパラメータ設定支援装置に関する。
【０００２】
【従来の技術】
例えば、データ通信システムや移動体通信システムに組込まれた各種機器の性能やネットワーク内を伝送される信号の性能を測定する測定装置においては、多数の測定機能が組込まれている。そして、測定対象の機器における多数の性能を高い精度で実行するためには、例えば、測定対象の機器に印加すべき試験信号がＣＤＭＡ信号の場合、ＣＤＭＡ信号の搬送波の周波数やレベルや変調方式や拡散変調に使用するＰＮ信号のパターンやチャネル数やフィルタの遮断周波数等の多数のパラメータを高い精度で設定する必要がある。
【０００３】
これらの多数のパラメータを設定する場合、各パラメータ毎に、有効桁数、最小値,，最大値や、数値で入力するか文字列で入力するかや、操作パネル上のどの操作キーを用いるかが定められている。
【０００４】
したがって、この測定装置の操作者は、測定対象の機器に対する測定を実施する前に、この測定装置の取扱い説明書を参照しながら各パラメータの値を入力して行く。
【０００５】
【発明が解決しようとする課題】
しかし、多数のパラメータの中には類似したパラメータが多数あり、さらに各パラメータの項目毎に、パラメータの値の入力方法が異なる。したがって、たとえこの測定装置の取扱い慣れた熟練の操作者であっても、全てのパラメータの値の入力方法を暗記していることはできないので、取扱い説明書を参照しながら各パラメータの値を入力していくことになる。
【０００６】
そのため、パラメータの設定作業に多大の時間と労力を必要とするので、測定対象の機器に対する測定作業能率が低下する。また、人為的な操作ミスの発生確率が上昇する。
【０００７】
本発明はこのような事情に鑑みてなされたものであり、必要に応じて表示画面上に各パラメータの値を入力するための操作案内を表示することによって、たとえこの測定装置に対する操作に不慣れな操作者であったとしても、間違いなく、簡単に各パラメータを設定でき、測定作業能率を大幅に向上できる測定装置のパラメータ設定支援装置を提供することを目的とする。
【０００８】
【課題を解決するための手段】
本発明は、記憶手段に登録された複数のパラメータに基づいて測定処理を実施する測定装置における、操作パネル上で操作入力された複数のパラメータを記憶手段に登録する測定装置のパラメータ設定支援装置に適用される。
【０００９】
そして、上記課題を解消するために、本発明のパラメータ設定支援装置においては、各パラメータ毎に、該当パラメータの値を入力するために使用する操作パネル上の該当する操作キーを示す記号と、この指示された操作キーを用いて操作入力された該当パラメータの値を表示する入力枠と、該当する操作キーを示す記号と入力枠とを囲むように枠を構成するウインドウとを記憶するウインドウメモリを設けている。
さらに、このウインドウメモリに記憶された各パラメータに対応した各ウインドウで指示された該当する操作キーを用いた該当パラメータの入力操作を示す複数の入力モードを記憶する入力モードメモリと、各パラメータを特定するパラメータの項目毎に、該当パラメータの項目に対して許可する入力モードを記憶する許可入力モードテーブルと、記憶手段に登録された複数のパラメータの項目及びパラメータの値を表示器に表示するパラメータ表示手段と、このパラメータ表示手段で複数のパラメータの項目及びパラメータの値が表示された状態で、パラメータの項目を指定すると、このパラメータの近接位置に、該当パラメータの値を入力するために使用する操作パネル上の操作キーを示す記号と、この操作キーを用いて操作入力された該当パラメータの値を表示する入力枠とをウインドウメモリから読出して表示するウインドウ表示手段と、このウインドウ表示手段で表示されたウインドウの入力枠内に、表示された操作キーの記号による許可入力モードテーブルで許可された入力モードを用いて操作入力された該当パラメータの値を記憶手段に登録するパラメータ登録手段とを備えている。
【００１０】
このように構成された測定装置のパラメータ設定支援装置においては、記憶手段に新たなパラメータを設定したり、設定済みのパラメータを変更する場合、操作者は、とりあえず、操作パネルを操作して、現在時点で記憶手段に登録されているパラメータの項目及びパラメータの値を表示画面に表示させる。
【００１１】
そして、新規設定したい、又は変更したいパラメータの項目を操作パネルを用いて指定すると、このパラメータの近接位置に、該当パラメータの値を入力するために使用する操作パネル上の操作キーを示す記号（文字を含む）とこの操作キーを用いて操作入力された該当パラメータの値を表示する入力枠とを表示するウインドウが表示される。
【００１２】
そこで、操作者は、このウインドウで指示された該当する操作キーを用いて該当パラメータの値を入力操作すると、入力された該当パラメータの値が同じくウインドウ内の入力枠内に表示される。そして、この入力枠内に表示されたパラメータの値が正しいことを確認すると、操作キーで確定操作を行うと、入力枠内に表示されたパラメータの値が記憶部に登録される。
【００１３】
したがって、操作者は、ウインドウ内に指示された該当する操作キーを用いてパラメータの値を入力すればよいので、操作性を大幅に向上できる。
【００１４】
また別の発明においては、上述した発明の測定装置のパラメータ設定支援装置において、入力モードメモリに記憶された複数の入力モードは、テンキーを用いて値を入力枠に直接入力する数値直接入力モードと、ノブ又はステップキーで入力枠内に表示された値を移動（変化）させる数値間接入力モードと、ノブ又はステップキーで予め表示された文字リストから必要な文字を選択して入力枠内へ複写する文字列入力モードと、ノブ又はステップキーで予め表示された候補値から一つの値を選択して入力枠内へ複写する選択入力モードとを含むようにしている。
【００１５】
このように、各パラメータ毎に、該当パラメータに最適の入力モードが選択されるので、各パラメータの入力作業の作業能率をより一層向上できる。
【００１６】
【発明の実施の形態】
以下、本発明の一実施形態を図面を用いて説明する。
図１は実施形態に係るパラメータ設定支援装置が組込まれた測定装置の外観図である。直方体形状の筐体１の正面２に表示器３の表示画面３ａ、電源スイッチ４、複数の信号端子５、及び操作パネル６が配設されている。
【００１７】
さらに、この操作パネル６には、表示画面３ａに表示されたカーソル７ａ位置を上下左右に移動させる４個のカーソルキー７、セットキー８、キャンセルキー９、ノブ（回転ノブキー）１０、ｕｐ、ｄｏｗｎの２個のステップキー１１ａ、１１ｂ、０〜９のテンキー１２、置数された数値の単位を入力するための８個の単位キー１３、複数のファンクションキー１４等からなる多数の操作キーが配列されている。
【００１８】
図２は、測定装置に組込まれたパラメータ設定支援装置の概略構成を示すブロック図である。このパラメータ設定支援装置は一種のマイクロコンピユータで構成されており、前述した多数の操作キーが配設された操作パネル６と、表示器３と、記憶部１５と、アプリケーションプログラム上に形成されたパラメータ表示部２０、ウインドウ表示部２１、パラメータ値入力部２２、パラメータ登録部２３とで構成されている。
【００１９】
記憶部１５内には、ウインドウメモリ１６、入力モードメモリ１７、許可入力モードテーブル１８、記憶手段としての設定値メモリ１９が設けられている。
【００２０】
ウインドウメモリ１６内には、この測定装置で必要とされる各パラメータ毎に、該当パラメータの値を入力するために使用する操作パネル６上の操作キーとこの操作キーを用いて操作入力された該当パラメータの値を表示する入力枠とを表示するウインドが記憶されている。
【００２１】
説明を簡単にするために、この実施形態の測定装置は測定対象の機器に対して試験信号としてＣＤＭＡ信号を送出する。この場合のパラメータとして、図４に示すように、ＣＤＭＡ信号の周波数、レベル、変調方式、パターン、チャネル数、バンド幅、フィルタ等の項目２５がある。
【００２２】
そして、例えば、パラメータが周波数の場合、図５に示すように、ウインド２４内には、該当パラメータの項目２５、該当パラメータの値が入力される入力枠２６、該当パラメータの値の入力最小値２７ａ、最大値２７ｂ、操作キーとしての０〜９のテンキー１２を示す文字［0123456789.-］とが表示される。このウインドウ２４で示されるパラメータの値の入力操作法を数値直接入力モードと称する。
【００２３】
また、パラメータがレベルの場合、図６に示すように、ウインド２４内には、該当パラメータの項目２５と、該当パラメータの値２８が既に書き込まれている入力枠２６、該当パラメータの値の入力最小値２７ａ、最大値２７ｂ、入力枠２６内の数値を移動（変化）させるための操作キーとしてのノブ１０、ステップキー１１ａ，１１ｂとを示す文字［ノブ、ステップ］とが表示される。このウインドウ２４で示されるパラメータの値の入力操作法を数値間接入力モードと称する。
【００２４】
また、パラメータが変調方式の場合、図７に示すように、ウインド２４内には、該当パラメータの項目２５と、該当パラメータの値が入力される入力枠２６、Ａ〜Ｚ，ａ〜ｚ、０〜９、記号からなる文字リスト２９、文字リスト２９のなかから必要な文字を選択するために操作キーとしてのノブ１０、ステップキー１１ａ，１１ｂ、カーソルキー７を示す文字［ノブ、ステップ、カーソル］とが表示される。このウインドウ２４で示されるパラメータの値の入力操作法を文字列入力モードと称する。
【００２５】
また、パラメータがパターンの場合、図８に示すように、ウインド２４内には、該当パラメータの項目２５、該当パラメータの値が入力される入力枠２６、該当パラメータの値の複数の候補値３０、この複数の候補値３０から一つの値を選択するために操作キーとしてのノブ１０、ステップキー１１ａ，１１ｂを示す文字［ノブ、ステップ］とが表示される。なお、ノブ１０又はステップキー１１ａ，１１ｂで選択された候補値３０が「ユーザ」の場合は、図９に示すように、ウインド２４内に子ウインド２４ａが表示され、この子ウインド２４ａ内に、さらに詳細の候補値が表示される。このウインドウ２４で示されるパラメータの値の入力操作法を選択入力モードと称する。
【００２６】
図２における記憶部１５の入力モードメモリ１７内には、図３（ａ）に示すように、この測定装置で各パラメータの値２８を操作パネル６の各操作キーを用いて入力する場合における入力操作法を示す複数の入力モード１７ａ〜１７ｄが記憶されている。
【００２７】
数値直接入力モード１７ａは、図５で説明したように、ウインドウ２４内において、テンキー１２を用いて値を入力枠２６に直接入力する入力モードである。数値間接入力モード１７ｂは、図６で説明したように、ウインドウ２４内において、ノブ１０又はステップキー１１ａ、１１ｂで入力枠２６内に表示された値２８を移動（変更）させる入力モードである。文字列入力モード１７ｃは、図７で説明したように、ウインドウ２４内において、ノブ１０又はステップキー１１ａ、１１ｂで予め表示された文字リスト２９から必要な文字を選択して入力枠２６内へ複写する入力モードである。さらに、選択入力モード１７ｄは、図８又は図９で説明したように、ノブ１０又はステップキー１１ａ、１１ｂで予め表示された候補値３０、３０ａから一つの値を選択して入力枠２６内へ複写する入力モードである。
【００２８】
図２における記憶部１５の許可入力モードテーブル１８内には、図３（ｂ）に示すように、各パラメータを特定する各項目２５毎に、該当項目２５に許可された入力モードが記憶されている。図において、［１］は許可を示し、［０］は不許可を示す。
【００２９】
例えば、周波数の項目２５及びフィルタの項目２５は数値直接入力モード１７ａと数値間接入力モード１７ｂとが許可されている。レベルの項目２５及びチャネル数の項目２５は数値間接入力モード１７ｂのみが許可されている。逆に、パターンの項目２５は選択入力モード１７ｄのみが許可されている。さらに、変調方式の項目２５は文字列入力モード１７ｃのみが許可されている。
【００３０】
各項目２５のパラメータの値を設定する場合に許可された入力モードのうちどの入力モードを採用するかは、操作者が選択可能である。
【００３１】
図２における記憶部１５の設定値メモリ１９内には、図３（ｃ）に示すように、設定された各項目２５のパラメータの値２８が記憶されている。
【００３２】
このように構成されたパラメータ設定支援装置は図１０及び図１１の流れ図に従って、パラメータの設定処理を実施する。
【００３３】
先ず、パラメータ表示部２０が起動して、記憶部１５の設定値メモリ１９に記憶された各パラメータの項目２５及び値２８を図４に示すように表示器３の表示画面３ａ上に一覧形式で表示する（Ｓ１）。なお、設定値メモリ１９にパラメータの値２８が設定されていない項目２５が存在すれば、該当項目２５のみが表示され、パラメータの値２８の部分は空欄になる。したがって、この測定装置に対して全く新規にパラメータを設定する場合は、各項目２５のみが表示されることになる。
【００３４】
操作者が操作パネル６のカーソルキー７が操作されると（Ｓ２）、表示画面３ａ上に表示されたカーソル７aの位置をカーソルキー７で指定された項目２５位置へ移動させる（Ｓ３）。
【００３５】
そして、Ｓ４にて、任意のテンキー１２が操作されると、現在カーソル７aで指定されている項目２５において、許可入力モードテーブル１８にて、数値直接入力モード１７ａが許可されているか否かを確かめて（Ｓ５）、許可されていない場合は操作エラー表示して、Ｓ４へ戻る。
【００３６】
数値直接入力モード１７ａが許可されている場合は、ウインドウ表示部２１が起動して、該当項目２５に対する例えば、図５に示した数値直接入力モード１７ａ用のウインドウ２４を表示画面３ａ上の該当項目２５の近接位置に表示出力する（Ｓ６）。そして、ウインドウ２４に表示されたテンキー１２を用いて該当項目２５のパラメータの値をキー入力すると（Ｓ７）、パラメータ値入力部２２が起動して、キー入力された値を入力枠２６へ表示する。
【００３７】
そして、セットキー８又は単位キー１３がキー入力されると（Ｓ８）、パラメータ登録部２３が起動して、入力枠２６に表示されている数値を該当項目２５のパラメータの値として、設定値メモリ１９の該当領域へ書込む（Ｓ９）。その結果、表示画面３ａにおいても今回設定された新規のパラメータの値２８が表示される。そして、指定された項目２５のパラメータの値２８の設定処理が終了したので、ウインドウ２４を消去する（Ｓ１０）。
【００３８】
Ｓ４にてテンキー１２が操作されなく、Ｓ１１にて、ノブ１０又はステップキー１１ａ、１１ｂが操作されると、現在カーソル７aで指定されている項目２５において、許可入力モードテーブル１８にて、数値間接入力モード１７ｂが許可されているか否かを確かめて（Ｓ１２）、許可されている場合は、ウインドウ表示部２１が起動して、該当項目２５に対する例えば、図６に示した数値間接入力モード１７ｂ用のウインドウ２４を表示画面３ａ上の該当項目２５の近接位置に表示出力する（Ｓ１３）。この場合、現在時点で表示されているパラメータの値２８を入力枠２６内に表示する。
【００３９】
そして、ウインドウ２４に表示されたノブ１０又はステップキー１１ａ、１１ｂを操作すると（Ｓ１４）、パラメータ値入力部２２が起動して、入力枠２６内に表示されている該当項目２５のパラメータの値２８を移動（変化）させる（Ｓ１５）。そして、セットキー８又は単位キー１３がキー入力されると（Ｓ１６）、パラメータ登録部２３が起動して、入力枠２６に表示されている値２８を該当項目２５のパラメータの値として、設定値メモリ１９の該当領域へ書込む（Ｓ１７）。その結果、表示画面３ａにおいても今回設定された新規のパラメータの値２８が表示される。そして、指定された項目２５のパラメータの値２８の設定処理が終了したので、ウインドウ２４を消去する（Ｓ１８）。
【００４０】
Ｓ１２にて、該当項目２５に数値間接入力モード１７ｂが許可されていない場合は、図１１のＳ１９にて、該当項目２５に選択入力モード１７ｄが許可されているか否かを調べる。許可されていない場合は操作エラー表示して、Ｓ４へ戻る。
【００４１】
選択入力モード１７ｄが許可されている場合は、ウインドウ表示部２１が起動して、該当項目２５に対する例えば、図８に示した選択入力モード１７ｄ用のウインドウ２４を表示画面３ａ上の該当項目２５の近接位置に表示出力する（Ｓ２０）。そして、ウインドウ２４に表示されたノブ１０又はステップキー１１ａ、１１ｂを用いて表示された複数の候補値３０、３０ａから一つの値を選択すると（Ｓ２１）、パラメータ値入力部２２が起動して、選択された値を入力枠２６へ表示する。そして、セットキー８がキー入力されると（Ｓ２２）、パラメータ登録部２３が起動して、入力枠２６に表示されている値２８を該当項目２５のパラメータの値として、設定値メモリ１９の該当領域へ書込む（Ｓ２３）。その結果、表示画面３ａにおいても今回設定された新規のパラメータの値２８が表示される。そして、指定された項目２５のパラメータの値２８の設定処理が終了したので、ウインドウ２４を消去する（Ｓ２４）。
【００４２】
図１０のＳ１１にて、ノブ１０又はステップキー１１ａ、１１ｂ操作でなくて、図１１のＳ２５にて、セットキー６が操作入力されると、Ｓ１９へ進み、該当項目２５に選択入力モード１７ｄが許可されているか否かを調べる。
【００４３】
さらに、Ｓ２５にて、セットキー６が操作入力されずに、Ｓ２６にて、文字列入力用のファンクションキー１４がキー入力されると、該当項目２５に文字列入力モード１７ｃが許可されていることを確認したのち、ウインドウ表示部２１が起動して、該当項目２５に対する例えば、図７に示した文字列入力モード１７ｃ用のウインドウ２４を表示画面３ａ上の該当項目２５の近接位置に表示出力する（Ｓ２７）。
【００４４】
そして、ノブ１０、ステップキー１１ａ、１１ｂ、カーソルキー７で文字リスト２９の中の必要な文字を選択して（Ｓ２８）、セットキー８を押すと（Ｓ２９）、パラメータ値入力部２２が起動して、指定された文字を入力枠２６へ表示する（Ｓ３０）。
【００４５】
そして、必要な全ての文字の入枠２６への書込処理が終了して、セットキー８がキー入力されると（Ｓ３１）、パラメータ登録部２３が起動して、入力枠２６に表示されている文字列を該当項目２５のパラメータの値２８として、設定値メモリ１９の該当領域へ書込む（Ｓ３２）。その結果、表示画面３ａにおいても今回設定された新規のパラメータの値２８が表示される。そして、指定された項目２５のパラメータの値２８の設定処理が終了したので、ウインドウ２４を消去する（Ｓ３３）
このように構成された測定装置のパラメータ設定支援装置においては、測定装置の記憶部１５の設定値メモリ１９に新たなパラメータを設定したり、設定済みのパラメータの値２８を変更する場合、操作者は、操作パネル６を操作して、現在時点で記憶部１５の設定値メモリ１９に登録されているパラメータの項目２５及びパラメータの値２８を図４に示すように表示器３の表示画面３ａ上に表示させる。次に、操作者は、新規設定したい、又は変更したいパラメータの項目２５にカーソル７ａを操作パネル６上のカーソルキー７を用いて移動させる。
【００４６】
そして、指定項目２５が周波数又はフィルタの場合、数値直接入力モード１７ａで入力操作を実施できるので、テンキー１２を押すと、図５に示す数値直接入力モード用のウインドウ２４が表示画面３ａ上に表示されるので、ウインドウ２４に表示されたテンキー１２を用いてパラメータの値２８を直接入力する。
【００４７】
また、指定項目２５が周波数、レベル、チャネル数、フィルタの場合、数値間接入力モード１７ｂで入力操作を実施できるので、ノブ１０又はステップキー１１ａ、１１ｂを操作すると、図６に示す数値間接入力モード用のウインドウ２４が表示画面３ａ上に表示されるので、ウインドウ２４に表示されたノブ１０又はステップキー１１ａ、１１ｂを操作して、入力枠２６の値２８を目標の値２８へ移動（変更）させる。
【００４８】
また、指定項目２５が変調方式の場合、文字列入力モード１７ｃで入力操作を実施できるので、文字列入力指定のファンクションキー１４を押すと、図７に示す文字列入力モード用のウインドウ２４が表示画面３ａ上に表示されるので、ウインドウ２４に表示されたノブ１０、ステップキー１１ａ、１１ｂ又はカーソルキー７を操作して、文字リスト２９から必要な文字を選択する。
【００４９】
さらに、指定項目２５がパターンの場合、選択入力モード１７ｄで入力操作を実施できるので、セットキー８を押すと、図８に示す選択入力モード用のウインドウ２４が表示画面３ａ上に表示されるので、ウインドウ２４に表示されたノブ１０、ステップキー１１ａ、１１ｂで複数の候補値３０から目標とする一つの値を選択すればよい。
【００５０】
したがって、操作者は、ウインドウ２４内に指示された操作キーを用いてパラメータの値２８を入力すればよいので、操作性を大幅に向上できる。
【００５１】
また、各パラメータ毎に、該当パラメータに最適の入力モードが選択されるので、各パラメータの入力作業の作業能率をより一層向上できる。
【００５２】
【発明の効果】
以上説明したように、本発明のパラメータ設定支援装置においては、表示画面上に表示されたパラメータの項目を操作パネルを用いて指定すると、表示画面上に各パラメータの値を入力するための操作キーを指定したパラメータ値入力用のウインドウが表示される。したがって、たとえこの測定装置に対する操作に不慣れな操作者であったとしても、間違いなく、簡単に各パラメータを設定でき、測定作業能率を大幅に向上できる。
【図面の簡単な説明】
【図１】本発明の一実施形態のパラメータ設定支援装置が組込まれた測定装置の正面図
【図２】同パラメータ設定支援装置の概略構成を示すブロック図
【図３】同パラメータ設定支援装置内に形成された記憶部の記憶内容を示す図
【図４】測定装置の表示器の表示内容を示す図
【図５】表示器に表示されたウインドウを示す図
【図６】同じく表示器に表示されたウインドウを示す図
【図７】同じく表示器に表示されたウインドウを示す図
【図８】同じく表示器に表示されたウインドウを示す図
【図９】同じく表示器に表示されたウインドウを示す図
【図１０】同パラメータ設定支援装置のパラメータ設定動作を示す流れ図
【図１１】同じくパラメータ設定支援装置のパラメータ設定動作を示す流れ図
【符号の説明】
３…表示器
６…操作パネル
７…カーソルキー
８…セットキー
１０…ノブ
１１ａ，１１ｂ…ステップキー
１２…テンキー
１３…単位キー
１４…ファンクションキー
１５…記憶部
１６…ウインドウメモリ
１７…入力モードメモリ
１８…許可入力モードテーブル
１９…設定値メモリ
２０…パラメータ表示部
２１…ウインドウ表示部
２２…パラメータ値入力部
２３…パラメータ登録部
２４…ウインドウ
２５…項目
２６…入力枠
【図１】
0003751780.tif 000002
【図２】
0003751780.tif 000003
【図３】
0003751780.tif 000004
【図４】
0003751780.tif 000005
【図５】
0003751780.tif 000006
【図６】
0003751780.tif 000007
【図７】
0003751780.tif 000008
【図８】
0003751780.tif 000009
【図９】
0003751780.tif 000010
【図１０】
0003751780.tif 000011
【図１１】
0003751780.tif 000012